(57)【要約】【課題】ランプ交換作業の安全性を確保し、さらに取付け作業性を向上することが可能な照明器具を提供する。【解決手段】この照明器具１は、直管ランプ５０を収容するランプハウジング２の内部に、直管ランプ５０の長手方向両端の端子部５２に各々接続されて当該直管ランプ５０を保持する一対のソケット７を設け、少なくとも一方のソケット７が、直管ランプ５０を保持する保持位置と、直管ランプ５０の保持状態が解除される非保持位置との間を可動自在に構成されている。また、照明器具１は、一対のソケット７間に設けられたガイド９を備えている。このガイド９は、ソケット７が非保持位置に位置するときに、直管ランプ５０を一対のソケット７によって保持可能な取付け位置に位置決めした状態で仮保持するように構成されている。【選択図】図１
2009076425.tif 000002
【特許請求の範囲】
【請求項１】
直管型のランプを収容するランプハウジングの内部に、前記ランプの長手方向両端の端子部に各々接続されて当該ランプを保持する一対のソケットを設け、少なくとも一方のソケットが、ランプを保持する保持位置と、ランプの保持状態が解除される非保持位置との間を可動自在に構成されている照明器具において、
前記一対のソケット間に設けられたガイドを備え、
前記ガイドは、ソケットが非保持位置に位置するときに、ランプを一対のソケットによって保持可能な取付け位置に位置決めした状態で仮保持することを特徴とする照明器具。
【請求項２】
前記ガイドは、当該ガイドにより仮保持されたランプがガイドを支点として径方向に揺動するのを許容可能であることを特徴とする請求項１に記載の照明器具。
【請求項３】
前記ガイドがランプの長さ方向に複数設けられていることを特徴とする請求項１または２に記載の照明器具。
【発明の詳細な説明】
【技術分野】
【０００１】
本発明は、主に天井に設置される照明器具に関する。
【背景技術】
【０００２】
従来、直管ランプを収容するランプハウジングの内部に、ランプの長手方向両端の端子部に各々接続されて当該ランプを保持する一対のソケットを設けた照明器具が知られている。例えば、特許文献１には、ソケットが、ランプを保持する保持位置と、ランプの保持状態が解除される非保持位置との間を可動するように構成された照明器具が開示されている。
【特許文献１】実開昭６４−４０１１３号公報
【発明の開示】
【発明が解決しようとする課題】
【０００３】
上記照明器具において、ランプ交換を下方から行う際に、ランプが不意に落下するのを防止したいという要望がある。また、ランプ取付け時には、ランプのソケットに対する位置合わせを行う作業を軽減したいという要望がある。
【０００４】
本発明は、上記要望に応えるためになされたものであり、ランプ交換作業の安全性を確保し、さらに取付け作業性を向上することが可能な照明器具を提供することを目的とする。
【課題を解決するための手段】
【０００５】
請求項１の発明は、直管型のランプを収容するランプハウジングの内部に、前記ランプの長手方向両端の端子部に各々接続されて当該ランプを保持する一対のソケットを設け、少なくとも一方のソケットが、ランプを保持する保持位置と、ランプの保持状態が解除される非保持位置との間を可動自在に構成されている照明器具において、前記一対のソケット間に設けられたガイドを備え、前記ガイドは、ソケットが非保持位置に位置するときに、ランプを一対のソケットによって保持可能な取付け位置に位置決めした状態で仮保持することを特徴とするものである。
【０００６】
請求項２の発明は、請求項１に記載の照明器具において、前記ガイドは、当該ガイドにより仮保持されたランプがガイドを支点として径方向に揺動するのを許容可能であることを特徴とするものである。
【０００７】
請求項３の発明は、請求項１または２に記載の照明器具において、前記ガイドがランプの長さ方向に複数設けられていることを特徴とするものである。
【発明の効果】
【０００８】
請求項１の発明によれば、ソケットが非保持位置に位置する状態で、ランプをガイドにより仮保持することができるので、ランプ交換時に、ランプが不意に落下するのを防ぐことができる。これにより、ランプ交換作業の安全性を確保することができる。
【０００９】
また、ガイドによってランプを取付け位置で仮保持することができるように構成したので、ガイドがランプのソケットに対する位置合わせの補助器具として機能する。これにより、ランプの位置合わせ作業を軽減することができるので、取付け作業性が向上する。
【００１０】
さらに、例えばランプハウジングが天井内に設置されており、当該天井高さが比較的高い等の理由で、下方からのランプ交換が行えないタイプの照明器具では、ソケットを非保持位置に移動させ、天井内でランプハウジングの側方へ軽いランプのみを出し入れすればよいので、ランプ交換が容易になる。
【００１１】
請求項２の発明によれば、ランプを径方向、例えば垂直下方や水平方向に揺動（スイング）させた姿勢でランプハウジングの斜め下方や斜め側方へ抜き取るように取り外すことが可能になる。
【００１２】
このため、例えば、ランプをランプハウジングの側方へ出し入れしてランプ交換作業を行うタイプの照明器具の場合、ランプを斜め側方へスイングさせて出し入れすれば、ランプを引き出したときの引出し長さが短くなるので、天井内に引き出しスペースが十分に確保されていない場合でも、ランプを交換可能になり、当該照明器具を設置可能となる。
【００１３】
請求項３の発明によれば、ランプに対するガイドの保持力および位置決め精度が向上する。
【発明を実施するための最良の形態】
【００１４】
以下、本発明の実施形態を図面に基づいて説明する。
【００１５】
図１は、本発明の一実施形態による照明器具の全体構成を示した側面断面図であり、図２は、図１中のＩＩ−ＩＩ線断面図である。
【００１６】
本実施形態の照明器具１は、図１に示すように、天井１０１の下面に略面一となるように当該天井１０１の嵌め込み孔１０２内に配設されており、直管ランプ５０と、この直管ランプ５０を収容するランプハウジング２と、ランプハウジング２の内部に設けられる反射板５および一対のソケット７とを備えている。
【００１７】
直管ランプ５０は、円筒状の発光部５１と、この発光部５１の長手方向（左右方向）の両端に設けられる一対の端子部５２とにより構成されている。また、端子部５２には、図略のピンが突設されている。
【００１８】
ランプハウジング２は、矩形状の天面部２ａと、この天面部２ａの前後方向（図１では紙面と直交する方向）の端辺から下方に延設される前後の側面部２ｂと、天面部２ａの左右方向の端辺から下方に延設される左右の側面部２ｃとを含む下方に開口する箱状に形成されている。
【００１９】
天面部２ａの下面の左右方向の両端近傍には、それぞれ、ソケット７を取り付けるためのソケット取付け部２ｄが設けられている。また、天面部２ａの下面の前記ソケット取付け部２ｄよりも中央寄りの位置には、反射板５を取り付けるための一対の反射板取付け部２ｅが設けられている。
【００２０】
左右の側面部２ｃには、それぞれ、ランプ交換時にソケット７や直管ランプ５０を入り込ませるための開口２ｆが形成されている。通常使用状態では、この開口２ｆには、蓋３が上下一対の蓋用ネジ４によって取り付けられており、埃等の異物がランプハウジング２内に侵入するのを防いでいる。
【００２１】
また、前後側面部２ｂおよび左右側面部２ｃの下端には、それぞれ、ランプハウジング２内へと突出するフランジ２ｇが形成されている。このフランジ２ｇは、ランプハウジング２の下方の開口を覆う散光用のハウジングカバー１２を載置するためのものである。
【００２２】
反射板５は、直管ランプ５０の上半分を取り囲むように当該直管ランプ５０の上方から側方に亘って延びるように設けられている。この反射板５は、反射板取付け用ネジ６によって前記一対の反射板取付け部２ｅに固定されている。
【００２３】
一対のソケット７は、直管ランプ５０の一対の端子部５２に各々接続されることで当該ランプ５０を保持可能なように構成されている。これらのソケット７は、ランプ５０を保持する保持位置（図１参照）と、ランプ５０の保持状態が解除される非保持位置（図３参照）との間を回動（可動）自在に構成されている。
【００２４】
ソケット７は、ヒンジ７ａと、ランプ保持部７ｂと、係止部７ｃとを有している。ヒンジ７ａの一方の偏平部位は、上記ソケット取付け部２ｄに取り付けられる固定部である。そして、この固定部に対して可動するヒンジ７ａの他方の偏平部位には、ランプ保持部７ｂおよび係止部７ｃが取り付けられている。従って、当該ヒンジ７ａが動作することによって、ランプ保持部７ｂおよび係止部７ｃがソケット取付け部２ｄに対して移動するようになっている。また、通常使用状態では、係止部７ｃが係止部固定用ネジ８によりソケット取付け部２ｄに固定されることで、ソケット７が上記保持位置に固定されている。
【００２５】
また、ランプ保持部７ｂには、図略のピン挿入孔が設けられており、このピン挿入孔に直管ランプ５０の端子部５２のピンが挿入されることによって、直管ランプ５０がソケット７に接続されるとともに当該ソケット７により保持されるようになっている。
【００２６】
ここで、本実施形態の照明器具１は、一対のソケット７間に左右方向に並んで配設される一対のガイド９を備えている。このガイド９は、ソケット７が上記非保持位置に位置するときに、ランプ５０を一対のソケット７によって保持され得る取付け位置に位置決めした状態で仮保持する機能を有している。また、ガイド９は、当該ガイド９により仮保持されたランプ５０がガイド９を支点として径方向にスイング（揺動）するのを許容可能なように構成されている。
【００２７】
詳細には、ガイド９は、図２に示すように、前後方向に対向配置された一対の金属製の板材９Ａ，９Ｂにより構成されている。各板材９Ａ（９Ｂ）は、ガイド取付け用ネジ１１により反射板５に取り付けられる取付け部９１と、この取付け部９１の端部から垂下する前後方向に撓み変形可能な垂直部９２と、この垂直部９２の下端から対向相手の板材９Ｂ（９Ａ）側に傾斜して延びて、直管ランプ５０の発光部５１を斜め下方から支える保持部９３とを有している。また、保持部９３の上面には、弾性体からなるパッキン１０が取り付けられている。このパッキン１０が直管ランプ５０の周面に接触するようになっている。
【００２８】
また、本実施形態では、一対の板材９Ａ，９Ｂは、対面する垂直部９２同士の間隔が直管ランプ５０の直径よりも大きくなるように位置決めされて配されており、ガイド９に保持された直管ランプ５０の周面と各垂直部９２との間には、隙間Ｓ１が形成されている。これにより、いずれか一方のガイド９に保持された直管ランプ５０を例えば水平方向にある程度スイングさせたとしても、直管ランプ５０のガイド９への接触が回避されるようになっている。
【００２９】
また、ガイド９に保持された直管ランプ５０と当該直管ランプ５０の上方に配された反射板５との間には、隙間Ｓ２が形成されている。これにより、いずれか一方のガイド９に保持された直管ランプ５０を例えば上下方向にある程度スイングさせたとしても、直管ランプ５０の反射板５等への接触が回避されるようになっている。
【００３０】
また、ガイド９は、一対の板材９Ａ，９Ｂの各垂直部９２が互いに離間する方向に撓み変形するように構成されていることから、当該ガイド９に保持された直管ランプ５０を例えば水平方向に大きくスイングさせることも許容可能なようになっている。
【００３１】
次に、図３〜図５を参照して、照明器具１におけるランプ交換動作の一例について説明する。
【００３２】
照明器具１から直管ランプ５０を取り外すには、まず、ランプハウジング２の左側において、側面部２ｃに螺合している蓋用ネジ４を緩め、蓋３を側面部２ｃから取り外す（図３の矢印ａ参照）。これにより、左側の側面部２ｃの開口２ｆを介してランプハウジング２内部を表出させる。
【００３３】
次いで、係止部取付け用ネジ８（図１参照）をソケット取付け部２ｄから外して、ソケット７を回動可能な状態とする。そして、ソケット７のランプ保持部７ｂが直管ランプ５０の端子部５２から離間する方向にソケット７を回動させ（図３の矢印ｂ参照）、当該ソケット７を非保持位置に移動させる。
【００３４】
この状態では、直管ランプ５０は、左側のソケット７による保持状態および当該ソケット７との接続状態を解除されているが、一対のガイド９と右側のソケット７とにより確実に仮保持されている。
【００３５】
そして、直管ランプ５０を、左側の側面部２ｃの開口２ｆを通してランプハウジング２の左外方へと引き出す（図３の矢印ｃ参照）。これにより、直管ランプ５０の右側のソケット７による保持状態および当該ソケット７との接続状態が解除され、直管ランプ５０をランプハウジング２から抜取り可能となる。この状態では、直管ランプ５０は、一対のガイド９によって確実に仮保持されている。
【００３６】
なお、上記動作説明では、ランプハウジング２の左側の側面部２ｃに取り付けられている蓋３のみを取り外し、直管ランプ５０をランプハウジング２の左外方に向けて引き出すことで抜取り可能な状態とする方法について説明したが、これに限らず、ランプハウジング２の右側の側面部２ｃに取り付けられている蓋３を取り外し、直管ランプ５０をランプハウジング２の右外方に向けて引き出すことで抜取り可能な状態とする方法であってもよい。また、ランプハウジング２の左右両方の側面部２ｃから蓋３を取り外し、両方のソケット７を非保持位置に移動させることで、直管ランプ５０をランプハウジング２から抜取り可能としてもよい。
【００３７】
次に、図４を参照して、直管ランプ５０のランプハウジング２からの抜取り動作の一例について説明する。この一例による抜取り方法は、下方からランプ交換可能なタイプの照明器具に好適なものとなっている。
【００３８】
ランプハウジング２からハウジングカバー１２を取り外し、直管ランプ５０を、その引出し方向と反対側、すなわち右側の端子部５２が一対のガイド９のうちの右側のガイド９を通過するまでの長さ（図１のＬ１参照）分だけ引き出す。そして、当該直管ランプ５０を、左側のガイド９を支点として垂直下方にスイングさせ（図４の矢印ｄ参照）、その姿勢のままランプハウジング２の右斜め下方へスライドさせることによって（図４の矢印ｅ参照）、直管ランプ５０をランプハウジング２から抜き取る。
【００３９】
また、図５を参照して、直管ランプ５０をランプハウジング２からの抜取り動作の他の例について説明する。この他の例による抜取り方法は、下方からランプ交換作業を行えないタイプの照明器具にとって好適なものとなっている。
【００４０】
直管ランプ５０を、その引出し方向と反対側、すなわち右側の端子部５２が一対のガイド９のうちの右側のガイド９を通過するまでの長さ（図１のＬ１）分だけ引き出し、その後、当該直管ランプ５０を、左側のガイド９を支点として水平方向にスイングさせ（図５の矢印ｆ参照）、その姿勢のままランプハウジング２の斜め後方へスライドさせることによって（図５の矢印ｇ参照）、直管ランプ５０をランプハウジング２から抜き取る。
【００４１】
この他の例による抜取り方法では、図５（ｂ）に示すように、直管ランプ５０を引き出したときの引出し長さが、直管ランプ５０をスイングさせずに引き出したときの引出し長さに比べてＬ２だけ短くなる。このため、上記したように、下方からランプ交換作業を行えないタイプの照明器具であって、さらに、天井内に引き出しスペースが十分に確保されていない場合に特に有効な方法となっている。
【００４２】
なお、照明器具１に直管ランプ５０を取り付ける際には、上記動作を逆から行えばよい。このとき、ソケット７への接続前に一対のガイド９により仮保持された直管ランプ５０は、一対のソケット７によって保持され得る取付け位置にほぼ位置合わせされている。
【００４３】
本実施形態では、上記のように、ソケット７が非保持位置に位置する状態で、直管ランプ５０をガイド９により仮保持することができるので、ランプ交換時に、直管ランプ５０が不意に落下するのを防ぐことができる。これにより、ランプ交換作業の安全性を確保することができる。
【００４４】
また、本実施形態では、上記のように、ガイド９によって直管ランプ５０を取付け位置で仮保持することができるように構成したので、ガイド９が直管ランプ５０のソケット７に対する位置合わせの補助器具として機能する。これにより、直管ランプ５０の位置合わせ作業を軽減することができるので、取付け作業性が向上する。
【００４５】
さらに、天井高さが比較的高い等の理由で、下方からのランプ交換が行えない場合は、ソケット７を非保持位置に移動させ、天井１０１内でランプハウジング２の側方へ軽い直管ランプ５０のみを出し入れすればよいので、ランプ交換が容易になる。
【００４６】
また、本実施形態では、上記のように、ガイド９を、当該ガイド９により仮保持された直管ランプ５０がガイド９を支点として径方向に揺動するのを許容可能に構成したので、直管ランプ５０を径方向、例えば垂直下方や水平方向に揺動（スイング）させた姿勢でランプハウジング２の斜め下方や斜め側方へ抜き取るように取り外すことが可能になる。
【００４７】
また、本実施形態では、上記のように、ガイド９を直管ランプ５０の長さ方向に２つ設けたので、直管ランプ５０に対するガイド９の保持力および位置決め精度が向上する。
【００４８】
なお、上記実施形態では、ガイドを直管ランプの長さ方向に沿って２つ設けたが、これに限らず、１つ、あるいは３つ以上設けてもよい。
【００４９】
また、上記実施形態では、両方のソケットが可動する構成について示したが、これに限らず、いずれか一方のソケットのみが可動する構成であってもよい。
【００５０】
また、上記実施形態では、ガイドを一対の板材９Ａ，９Ｂで構成したが、図６に示すように、略Ｕ字状のガイド１０９であってもよい。この場合、ガイド１０９の内周面の適所（図６では直管ランプ５０の下半分に対応する領域）に、弾性体からなるパッキン１１０を配するのが好ましい。
【００５１】
また、上記実施形態では、本発明を天井に設置するタイプの照明器具に適用したが、これに限らず、壁面に設置するタイプの照明器具にも適用可能である。
【図面の簡単な説明】
【００５２】
【図１】本発明の一実施形態による照明器具の全体構成を示した側面断面図である。
【図２】ガイドの構成を示した図１中のＩＩ−ＩＩ線断面図である。
【図３】ランプ交換動作を説明するための側面断面図である。
【図４】ランプ抜取り動作の一例を示した概略的側面図である。
【図５】（ａ）はランプ抜取り動作の他の例を示した概略的下面図であり、（ｂ）はランプ抜取り方向による引出し長さの差を示した説明図である。
【図６】変形例によるガイドを示した断面図である。
【符号の説明】
【００５３】
１  照明器具
２  ランプハウジング
７  ソケット
９，１０９  ガイド
５０  直管ランプ
５２  端子部
【図１】
2009076425.tif 000003
【図２】
2009076425.tif 000004
【図３】
2009076425.tif 000005
【図４】
2009076425.tif 000006
【図５】
2009076425.tif 000007
【図６】
2009076425.tif 000008